(57)【要約】【課題】可動ラックの停止位置のずれを防止できる昇降型ラック装置を提供する。【解決手段】昇降型ラック装置１は、壁面等に固定される固定フレーム５と、スライドレール機構４１を介して昇降自在に取り付けられる可動ラック１７を備え、この可動ラック１７の制動装置６１は固定フレーム５に対して設けられる凸条７と、凸条７の側面に当接するブレーキパッド７９と、ブレーキパッド７９の圧接、離反の各状態を切り換える操作竿２７と、操作竿２７のスライド方向の動きをブレーキパッド７９の回動方向の動きに変換するリンク機構８１とを備えており、ブレーキパッド７９は上下二段に亘って二組設けられている。またリンク機構８１は上下のブレーキパッド７９が相反する方向に回動するように構成されている。【選択図】        図７
2005103046.tif 000002
【特許請求の範囲】
【請求項１】
壁面等に固定される固定フレームと、固定フレームに対してスライドレール機構を介して昇降自在に取り付けられる可動ラックと、前記可動ラックを所望の位置で停止状態とする制動装置とを有する昇降型ラック装置において、前記制動装置は固定フレームに対して設けられ上下方向に延びる凸条と、前記凸条に当接するブレーキパッドと、前記ブレーキパッドの圧接、離反の各状態を切り換える操作竿と、前記操作竿のスライド方向の動きをブレーキパッドの回動方向の動きに変換するリンク機構とを備えており、このうちブレーキパッドは上下二段に亘って二組設けられていることを特徴とする昇降型ラック装置。
【請求項２】
請求項１に記載の昇降型ラック装置において、リンク機構は上下のブレーキパッドが相反する方向に回動するように構成したことを特徴とする昇降型ラック装置。
【請求項３】
請求項２に記載の昇降型ラック装置において、リンク機構は一端が操作竿に対して回動自在に接続され、他端に一組のブレーキパッドを備える第１リンクと、一端が第１リンクに対して回動自在に接続され、他端に他の一組のブレーキパッドを備える第２リンクとによって構成されており、このうち第１リンクは中間に設けられる第１回動支軸を回動中心として、操作竿との接続点を操作側作用点、ブレーキパッドが設けられている部位を力点として作動し、一方、第２リンクは中間に設けられる第２回動支軸を回動中心として、第１リンクにおける第１回動支軸より幾分、ブレーキパッド寄りに配置されている第１リンクとの接続点を操作側作用点、ブレーキパッドが設けられている部位を力点として作動すると共に、第２リンクの一部を延長形成して設けたアーム部の先端に付勢手段を係止し、付勢手段との接続点を付勢側作用点としたことを特徴とする昇降型ラック装置。
【請求項４】
請求項１〜３のいずれかに記載の昇降型ラック装置において、可動ラックはスライドレール機構に対して直接接続されるベースフレームと、ベースフレームの前面に設けられる角箱状のラック本体とから構成されており、このうちベースフレームは断面Ｌ字状ないし断面コの字状のフレーム要素を矩形枠状に組み合わせ、一体の構造部材として構成したことを特徴とする昇降型ラック装置。
【発明の詳細な説明】
【技術分野】
【０００１】
本発明は、キッチンの吊戸棚等に適用される台所用の昇降型ラック装置に関するものである。
【背景技術】
【０００２】
キッチンの吊戸棚等に適用される台所用の昇降型ラック装置としては、特許文献１に示すようなラック装置が存在している。これは吊戸棚等の底板に形成した出入口から可動ラックを出し入れして使用するというものである。可動ラックは吊下げ機構によって吊持されており、吊下げ機構はねじりコイルバネによって構成される吊戸棚側に設けられる巻取り手段と、巻取り手段によってドラム周面に巻き取られ、一端が可動ラックに接続されたワイヤとを備えている。
【０００３】
可動ラックは、ブレーキパッドをブレーキシューとして作用する機構ベースにおける主部側面に圧接状態で当接させることによって停止させられる。またブレーキパッドはブレーキアームの内側端部に取り付けられており、回動支点を挟んで、ブレーキアームの外側端部には、正面視Ｕ字形ないし凹字形をした操作竿の上端が接続されている。これにより操作竿の最下部に位置するグリップ部を固定状態で設けられるハンドルバーと一緒に握り、握りを強めたり、弱めたりすることによって操作竿を上下動させ、ブレーキアームを所定の角度回動させて、ブレーキパッドの圧接、離反の切り換えを行なっている。
【０００４】
即ち、可動ラックの停止位置を変える場合には、グリップ部とハンドルバーを強く握って、グリップ部を下方に押し下げ、先端に設けたブレーキパッドが上方に拡開するようにブレーキアームを回動させる。そして、所望の停止位置まで可動ラックを移動させた後、グリップ部とハンドルバーから手を離せば、弾発部材による付勢力によって、ブレーキアームは逆方向に回動し、先端のブレーキパッドは再び機構ベースにおける主部側面に圧接し、可動ラックを停止状態とする。
【０００５】
しかしながら、可動ラックには、吊下げ機構における巻取り手段によって常時、上方へ移動させようとする方向の力が働いている。この方向の力はブレーキパッドを上方へ拡開させるブレーキアームの回動方向と一致する方向の力であり、ブレーキパッドの圧接力を低下させて、可動ラックが停止位置からずれてしまうおそれがある。
【特許文献１】特開２０００−２７０９３４号公報
【発明の開示】
【発明が解決しようとする課題】
【０００６】
本発明は、上記従来の問題点に着目してなされたものであり、簡単な構成によって可動ラックの停止位置のずれを防止できると共に、可動ラックの移動も円滑かつ簡単な操作によって実行できる昇降型ラック装置を提供することを課題とするものである。
【課題を解決するための手段】
【０００７】
上記課題を解決するために請求項１記載の発明は、壁面等に固定される固定フレームと、固定フレームに対してスライドレール機構を介して昇降自在に取り付けられる可動ラックと、前記可動ラックを所望の位置で停止状態とする制動装置とを有する昇降型ラック装置において、前記制動装置は固定フレームに対して設けられ上下方向に延びる凸条と、前記凸条に当接するブレーキパッドと、前記ブレーキパッドの圧接、離反の各状態を切り換える操作竿と、前記操作竿のスライド方向の動きをブレーキパッドの回動方向の動きに変換するリンク機構とを備えており、このうちブレーキパッドは上下二段に亘って二組設けられていることを特徴とする昇降型ラック装置である。
【０００８】
請求項２記載の発明は、請求項１に記載の昇降型ラック装置において、リンク機構は上下のブレーキパッドが相反する方向に回動するように構成したことを特徴とする昇降型ラック装置である。
【０００９】
請求項３記載の発明は、請求項２に記載の昇降型ラック装置において、リンク機構は一端が操作竿に対して回動自在に接続され、他端に一組のブレーキパッドを備える第１リンクと、一端が第１リンクに対して回動自在に接続され、他端に他の一組のブレーキパッドを備える第２リンクとによって構成されており、このうち第１リンクは中間に設けられる第１回動支軸を回動中心として、操作竿との接続点を操作側作用点、ブレーキパッドが設けられている部位を力点として作動し、一方、第２リンクは中間に設けられる第２回動支軸を回動中心として、第１リンクにおける第１回動支軸より幾分、ブレーキパッド寄りに配置されている第１リンクとの接続点を操作側作用点、ブレーキパッドが設けられている部位を力点として作動すると共に、第２リンクの一部を延長形成して設けたアーム部の先端に付勢手段を係止し、付勢手段との接続点を付勢側作用点としたことを特徴とする昇降型ラック装置である。
【００１０】
請求項４記載の発明は、請求項１〜３のいずれかに記載の昇降型ラック装置において、可動ラックはスライドレール機構に対して直接接続されるベースフレームと、ベースフレームの前面に設けられる角箱状のラック本体とから構成されており、このうちベースフレームは断面Ｌ字状ないし断面コの字状のフレーム要素を矩形枠状に組み合わせ、一体の構造部材として構成したことを特徴とする昇降型ラック装置である。
【発明の効果】
【００１１】
本発明の制動装置及び制動装置を備えた昇降型ラック装置は上下二段に亘って二組、ブレーキパッドを設けているから、ブレーキパッドの制動力が増強され、可動ラックの位置ずれは生じない。
またリンク機構を上下のブレーキパッドが相反する方向に回動するように構成した場合には、一方のブレーキパッドが吊持手段による付勢力によって拡開方向に移動しようとしても、他方のブレーキパッドは逆に圧接方向に移動しようとするため、圧接力の低下は生じない。
従って、可動ラックの停止位置は確実に保持される。また操作竿の上下動のみによって可動ラックの移動と停止を切り換えることができるから、簡単な操作によって可動ラックを移動させることができる。
この他、可動ラックにおけるベースフレームを一体の構造部材によって構成した場合には、可動ラックの構造強度が高まり、可動ラックの円滑な移動も確保される。
【実施例１】
【００１２】
本発明の昇降型ラック装置１は、例えばキッチンの吊戸棚等に組み込まれ、吊戸棚の一部として、あるいは吊戸棚に沿わせて配置され、吊戸棚とデザイン的に統一した形で使用される。図１では固定式の吊戸棚３の側方に沿わせるように並べて設けた形態を示している。
昇降型ラック装置１は壁面Ｈ等に対してビス止め等によって固定される固定フレーム５を備えている。固定フレーム５は比較的厚口の金属製平板を適宜の形に折り曲げ、溶接等によって略Ｕ字形に組み立てることによって構成されている。
【００１３】
固定フレーム５の中央には凸条７を備えるメインフレーム９が鉛直方向に向けて設けられており、その側方には少し離れてＣ字形断面のガイドフレーム１１が同じく鉛直方向に向けて２本設けられている。
またメインフレーム９の下端には断面Ｌ字形の補強フレーム１３が設けられており、メインフレーム９の上端には、前方に張り出すように正面視門形をしたボビンカバー１５が設けられている。
【００１４】
ガイドフレーム１１の内側の凹部空間には、後述する可動ラック１７におけるベースフレーム１９の上端に取り付けられる上部ガイドブロック２１の係合凸部２３が摺動自在に係合している。ガイドブロック２１の基部側には断面長円形のガイド穴２５が貫通状態で設けられており、後述する操作竿２７の上部を受け入れ操作竿２７の上下方向の移動を案内すると共に、幅方向の移動を許容している。
【００１５】
補強フレーム１３の左右両端部には、下部ガイドブロック２９が取り付けられている。下部ガイドブロック２９には、鉤状の係合爪３１が形成されており、この係合爪３１の内側に形成されるＵ字形の内部空間が上部ガイドブロック２１におけるガイド穴２５と同様、操作竿２７の案内作用を担っている。
またボビンカバー１５における左右の側板には、取付穴３３が刻設されていて、吊持手段の一例であるゼンマイバネ３５を装着した状態のボビン３７を２個直列状態にして貫通するシャフト３９の端部を軸支している。
【００１６】
メインフレーム９の凸条７の前面板には、スライドレール機構４１を介して可動ラック１７が昇降自在に取り付けられている。スライドレール機構４１はＣ形断面のガイドレール４３と、ガイドレール４３の内部において係合し、ガイドレール４３の長手方向に沿って摺動するスライダ４５とによって構成されている。
スライダ４５はガイドレール４３より一回り小さな、同じくＣ形断面をした部材で、ガイドレール４３との摺接面には、多数のコロ４７が設けられており、コロ４７による転がり接触によってスライダ４５の滑らかな摺動を実現している。
ガイドレール４３はメインフレーム９の凸条７の前面板にビス止め等によって固定され、一方、スライダ４５は次に述べる可動ラック１７におけるベースフレーム１９に設けられている受け部材４９と係合することによって可動ラック１７と共に昇降動作するようになっている。
【００１７】
可動ラック１７は上記ベースフレーム１９と、ベースフレーム１９の前面に設けられる角箱状のラック本体５１とによって構成されている。このうちベースフレーム１９は略平板状をした上部フレーム５３、断面Ｌ字状をした下部フレーム５５及び断面Ｌ字状をした２本のサイドフレーム５７をそれぞれフレーム要素とし、これらを矩形枠状に組み合わせ、溶接することによって一体の構造部材として形成されている。
【００１８】
上部フレーム５３の前面側には、ゼンマイバネ３５の繰り出し端を保持するためのブラケット５９が設けられている。また上部フレーム５３の後面側には、中央に前記スライド機構４１用の受け部材４９、その左右に後述する本発明の制動装置６１の一部を構成する第１回動支軸６３と第２回動支軸６５、付勢手段としての引張りコイルバネ６７の一端を保持する係止フック６９が１組ずつ左右対称にそれぞれ立ち上げられている。
また上部フレーム５３の前面側上部隅部は上部ガイドブロック２１の取付面となっている。
【００１９】
下部フレーム５５には、略矩形断面をしたＵ字状の棒状部材を側面視Ｌ字形となるように屈曲させた形状のハンドルバー７１が設けられている。また操作竿２７は円形断面をした長寸Ｕ字状の棒状部材を同じく側面視Ｌ字形となるように屈曲させた形状を有している。操作竿２７の手前に張り出した水平部分２７Ｈをハンドルバー７１における水平部分７１Ｈと共に握り、その握り具合を調節することによって操作竿２７は所定ストローク昇降動作するようになっている。
【００２０】
ラック本体５１は前面が開放された角箱状に形成されており、このラック本体５１内には、上下二段に棚板７５が設けられている。
またラック本体５１の後面側の左右下端には、操作竿２７の下方寄りの垂直部分２７Ｖを保持するためのガイドピース７７が設けられている。
【００２１】
次にこのような昇降型ラック装置１に対して設けられる本発明の制動装置６１の構成と作動状態について具体的に説明する。
制動装置６１は固定フレーム５に対して設けられている凸条７の両側面をブレーキシューとして利用し、凸条７の両側面に当接するブレーキパッド７９を上下二段に亘って２組、計４個設けている。
ブレーキパッド７９の材料としては摩擦係数の大きな材料、例えばゴム材等が適用できる。
【００２２】
ブレーキパッド７９の圧接、離反の各状態の切り換えは操作竿２７によって行なわれており、更に操作竿２７のスライド方向（上下方向）の動きを回動方向の動きに変換するリンク機構８１を介することによって、円弧状の回動軌跡を辿って、凸条７の側面に圧接し、離反するように構成されている。
リンク機構８１は上下のブレーキパッド７９が相反する方向に回動するように構成されている。具体的には、一端が操作竿２７に対して回動自在に接続され、他端に上方のブレーキパッド７９を備える第１リンク８３と、一端が第１リンク８３に対して回動自在に接続され、他端に下方のブレーキパッド７９を備える第２リンク８５とによってリンク機構８１は構成されている。
【００２３】
第１リンク８３は中間に設けられる第１回動支軸６３を回動中心として、操作竿２７との接続点を操作側作用点Ｐ、ブレーキパッド７９が設けられている部位を力点として作動するように構成されている。
第２リンク８５は中間に設けられる第２回動支軸６５を回動中心として、第１リンク８３における第１回動支軸６３より幾分ブレーキパッド７９寄りに配置されている第１リンク８３との接続点を操作側作用点Ｑ、ブレーキパッド７９が設けられている部位を力点として作動するように構成されている。
【００２４】
また第２リンク８５には、第２リンク８５の一部を延長形成してアーム部８７が設けられている。アーム部８７の先端には、フック部８９が設けられていて、ここに付勢手段の一例である引張りコイルバネ６７の一端が係止されている。
引張りコイルバネ６７との接続点が付勢側作用点Ｒとなり、付勢側作用点Ｒに力が作用すると第２リンク８５は操作側作用点Ｑに力が作用した場合と逆方向に回動するようになっている。
【００２５】
次に上端に位置している格納状態の可動ラック１７を下方に引き下げ、所望の位置に停止させる場合を例にとって制動装置６１の作動状態について説明する。
（１）  格納時
可動ラック１７はゼンマイバネ３５による吊持力によってベースフレーム１９における上部フレーム５３の中央上端部がボビンカバー１５の上板裏面のストッパ９１に当接するまで上昇した位置にある。この状態では、側方の吊戸棚３とほぼ同じ高さに可動ラック１７は位置しており、吊戸棚３の一部としてデザイン的に溶け込んだ状態にある。
また可動ラック１７内には、調理に使う調味料のビン、缶あるいは比較的小型の調理器具等の収容物Ａが収容されている。
【００２６】
（２）  移動時
可動ラック１７内の収容物Ａを取り出すには、ハンドルバー７１の水平部分７１Ｈと、操作竿２７の水平部分２７Ｈを同時に強く握って、ブレーキパッド７９を凸条７の側面から離反させた状態にし、この状態のまま、可動ラック１７を所望の高さとなるまで下降させる。
操作竿２７はハンドルバー７１の水平部分７１Ｈと操作竿２７の水平部分２７Ｈを同時に握ることによって、図８に示すように所定ストローク下方に移動し、これにより第１リンク８３は第１回動支軸６３を回動中心として先端のブレーキパッド７９が凸条７から離反する方向、即ち上方に向って回動する。
【００２７】
また第１リンク８３が回動すると、操作側作用点Ｑを介して第２リンク８５に力が伝達される。第２リンク８５は第２回動支軸６５を回動中心として、第１リンク８３と相反する方向、先端のブレーキパッド７９が凸条７から離反する方向、即ち下方に向って回動するようになる。
従って、上下のブレーキパッド７９は共に凸条７から離反した状態となり、可動ラック１７は自由に昇降動作できるようになる。
【００２８】
（３）  停止時
可動ラック１７を所望の位置まで下降させたところで、握っていたハンドルバー７１の水平部分７１Ｈと、操作竿２７の水平部分２７Ｈから手を離せば、ブレーキパッド７９は再び圧接状態に移行し、凸条７の両側面を挟持し、可動ラック１７はその位置で停止する。
即ち、操作竿２７はハンドルバー７１の水平部分７１Ｈと操作竿２７の水平部分２７Ｈから手を離すことによって、所定ストローク上方に移動するようになる。尚、操作竿２７の上方への動きは引張りコイルバネ６７の付勢力に基づくものである。
【００２９】
引張りコイルバネ６７の収縮しようとする方向の付勢力によって、第２リンク８５は第２回動支軸６５を回動中心として先端のブレーキパッド７９が凸条７に圧接する方向、即ち上方に向って回動するようになり、最終的に凸条７の両側面に当接し、これを挟持し、圧接した状態となる。
また第２リンク８５が回動すると、操作側作用点Ｑを介して第１リンク８３にも力が伝達され、第１リンク８３は第１回動支軸６３を回動中心として第２リンク８５と相反する方向、先端のブレーキパッド７９が圧接する方向、即ち下方に向って回動するようになり、最終的に凸条７の両側面に当接し、これを挟持し、圧接した状態となる。
【００３０】
この状態で可動ラック１７に上下方向の何らかの力、例えばゼンマイバネ３５による上方への力が作用したとしても、上下に設けられる二組のブレーキパッド７９の一方（上方への力が作用した場合には上方のブレーキパッド７９、下方への力が作用した場合には下方のブレーキパッド７９）が必ず圧接方向に移動するようになるので、上下のブレーキパッド７９が同時に離反状態に移行することはなく、可動ラック１７は停止状態を保ち、位置ずれが確実に防止される。
そして使用者は可動ラック１７から所望の収容物Ａを取り出し、使用後は再び可動ラック１７内に戻して、上記と逆の手順により可動ラック１７を上方に押し上げて格納状態とする。
【００３１】
以上、本発明を実施するための最良の形態、その具体的実施例について詳述してきたが、具体的な構成はこれらの形態や実施例に限られるものではなく、本発明の要旨を逸脱しない範囲における設計の変更などがあっても本発明に含まれる。
例えば、吊持手段として使用したゼンマイバネ３５の吊持力は可動ラック１７内に収容する収容物Ａの重量に応じて適宜調整可能である。これに伴い、ゼンマイバネ３５は前記実施例のように２個設ける他、１個でもよいし、3個以上設けることも可能である。
【００３２】
また付勢手段として使用した引張りコイルバネ６７の数も１本に限らず、第１リンク８３と第２リンク８５についてそれぞれ１本ずつ、計２本設けるようにすることも可能である。また本発明の昇降ラック装置１はキッチンの吊戸棚３に組み込んで使用する他、単独でも使用でき、キッチン以外の部屋において他の種々の収容物Ａを対象として使用することも可能である。
【図面の簡単な説明】
【００３３】
【図１】昇降型ラック装置の使用状態を示す斜視図である。
【図２】昇降型ラック装置の正面図である。
【図３】昇降型ラック装置の側面図である。
【図４】昇降型ラック装置の平面図である。
【図５】図２中、Ａ−Ａ線で破断した状態を示す断面図である。
【図６】図５中、スライドレール機構周辺を拡大して示す断面図である。
【図７】ブレーキパッドが圧接状態にあるときの制動装置を示す背面図である。
【図８】ブレーキパッドが離反状態にあるときの制動装置を示す背面図である。
【符号の説明】
【００３４】
１    昇降型ラック装置              ３    （固定式の）吊戸棚
５    固定フレーム                  ７    凸条
９    メインフレーム              １１    ガイドフレーム
１３    補強フレーム                １５    ボビンカバー
１７    可動ラック                  １９    ベースフレーム
２１    上部ガイドブロック          ２３    係合凸部
２５    ガイド穴                    ２７    操作竿
２７Ｈ  水平部分                    ２７Ｖ  垂直部分
２９    下部ガイドブロック          ３１    係合爪
３３    取付穴                      ３５    ゼンマイバネ（吊持手段）
３７    ボビン                      ３９    シャフト
４１    スライドレール機構          ４３    ガイドレール
４５    スライダ                    ４７    コロ
４９    受け部材                    ５１    ラック本体
５３    上部フレーム                ５５    下部フレーム
５７    サイドフレーム              ５９    ブラケット
６１    制動装置                    ６３    第１回動支軸
６５    第２回動支軸                ６７    引張りコイルバネ（付勢手段）
６９    係止フック                  ７１    ハンドルバー
７１Ｈ  水平部分
７５    棚板                        ７７    ガイドピース
７９    ブレーキパッド              ８１    リンク機構
８３    第１リンク                  ８５    第２リンク
８７    アーム部                    ８９    フック部
９１    ストッパ
Ｈ    壁面                          Ｐ    （第１リンクの）操作側作用点
Ｑ    （第２リンクの）操作側作用点  Ｒ    （第２リンクの）付勢側作用点
Ａ    収容物
【図１】
2005103046.tif 000003
【図２】
2005103046.tif 000004
【図３】
2005103046.tif 000005
【図４】
2005103046.tif 000006
【図５】
2005103046.tif 000007
【図６】
2005103046.tif 000008
【図７】
2005103046.tif 000009
【図８】
2005103046.tif 000010